【手続補正書】
【提出日】平成31年3月23日(2019.3.23)
【手続補正１】
【補正対象書類名】特許請求の範囲
【補正対象項目名】全文
【補正方法】変更
【補正の内容】
【特許請求の範囲】
【請求項１】
通信装置であって、
ダイレクト無線通信モードで動作している印刷装置に無線接続するようユーザから指示を受けた場合、前記印刷装置に無線接続している端末の数が上限数に達しているか否かを、前記印刷装置に問い合わせる問い合わせ手段と、
前記問い合わせ手段で問い合わせた結果、前記印刷装置に無線接続している端末の数が上限数に達していた場合、前記ダイレクト無線通信モードの動作を終了するよう前記印刷装置に指示する第１の指示手段と、
前記第１の指示手段による指示の後に、前記ダイレクト無線通信モードの動作を開始するように前記印刷装置に指示する第２の指示手段と
を有することを特徴とする通信装置。
【請求項２】
前記第２の指示手段による指示によって前記ダイレクト無線通信モードの動作を開始した前記印刷装置に無線接続する接続手段を更に有することを特徴とする請求項１に記載の通信装置。
【請求項３】
前記問い合わせ手段で問い合わせた結果、前記印刷装置に無線接続している端末の数が上限数に達していなかった場合、前記ダイレクト無線通信モードで動作している前記印刷装置に無線接続する接続手段を更に有することを特徴とする請求項１に記載の通信装置。
【請求項４】
前記問い合わせ手段で問い合わせた結果、前記印刷装置に無線接続している端末の数が上限数に達していた場合、さらに、前記印刷装置の前記ダイレクト無線通信モードの動作を一旦終了させるか否かを前記ユーザに確認するための確認画面を表示する表示手段を更に有し、
前記第１の指示手段は、前記問い合わせ手段で問い合わせた結果、前記印刷装置に無線接続している端末の数が上限数に達しており、かつ、前記表示手段で表示された前記確認画面において前記印刷装置の前記ダイレクト無線通信モードの動作を一旦終了させるよう前記ユーザから指示を受けた場合に、前記ダイレクト無線通信モードの動作を終了するよう前記印刷装置に指示することを特徴とする請求項１に記載の通信装置。
【請求項５】
前記第１の指示手段による前記ダイレクト無線通信モードの動作の終了の指示と、前記第２の指示手段による前記ダイレクト無線通信モードの動作の開始の指示は、１つの指示で行われることを特徴とする請求項１乃至４のいずれか１項に記載の通信装置。
【請求項６】
前記問合せ手段による問合せと、前記第１の指示手段による指示と、前記第２の指示手段による指示は、ＢＬＥ（Ｂｌｕｅｔｏｏｔｈ  Ｌｏｗ  Ｅｎｅｒｇｙ）のＧＡＴＴ通信を介して行われることを特徴とする請求項１乃至５のいずれか１項に記載の通信装置。
【請求項７】
通信装置であって、
ダイレクト無線通信モードで動作している印刷装置に無線接続するようユーザから指示を受けた場合、前記印刷装置に無線接続している端末の数が上限数に達しているか否かを、前記印刷装置に問い合わせる第１の問い合わせ手段と、
前記第１の問い合わせ手段で問い合わせた結果、前記印刷装置に無線接続している端末の数が上限数に達していた場合、前記ダイレクト無線通信モードにおいて使用しているＳＳＩＤの種類を、前記印刷装置に問い合わせる第２の問い合わせ手段と、
前記第２の問い合わせ手段で問い合わせた結果、前記ＳＳＩＤの種類が所定の種類であると判定した場合、前記ダイレクト無線通信モードの動作を終了するよう前記印刷装置に指示する第１の指示手段と、
前記第１の指示手段による指示の後に、前記ダイレクト無線通信モードの動作を開始するように前記印刷装置に指示する第２の指示手段と
を有することを特徴とする通信装置。
【請求項８】
前記第２の指示手段による指示によって前記ダイレクト無線通信モードの動作を開始した前記印刷装置に無線接続する接続手段を更に有することを特徴とする請求項７に記載の通信装置。
【請求項９】
前記第１の問い合わせ手段で問い合わせた結果、前記印刷装置に無線接続している端末の数が上限数に達していなかった場合、前記ダイレクト無線通信モードで動作している前記印刷装置に無線接続する接続手段を更に有することを特徴とする請求項７に記載の通信装置。
【請求項１０】
前記第２の問い合わせ手段で問い合わせた結果、前記ＳＳＩＤの種類が所定の種類であると判定した場合、さらに、前記印刷装置の前記ダイレクト無線通信モードの動作を一旦終了させるか否かを前記ユーザに確認するための確認画面を表示する表示手段を更に有し、
前記第１の指示手段は、前記第２の問い合わせ手段で問い合わせた結果、前記ＳＳＩＤの種類が所定の種類であると判定し、かつ、前記表示手段で表示された前記確認画面において前記印刷装置の前記ダイレクト無線通信モードの動作を一旦終了させるよう前記ユーザから指示を受けた場合に、前記ダイレクト無線通信モードの動作を終了するよう前記印刷装置に指示することを特徴とする請求項７に記載の通信装置。
【請求項１１】
前記第１の指示手段による前記ダイレクト無線通信モードの動作の終了の指示と、前記第２の指示手段による前記ダイレクト無線通信モードの動作の開始の指示は、１つの指示で行われることを特徴とする請求項７乃至１０のいずれか１項に記載の通信装置。
【請求項１２】
前記第１の問合せ手段による問合せと、前記第２の問合せ手段による問合せと、前記第１の指示手段による指示と、前記第２の指示手段による指示は、ＢＬＥ（Ｂｌｕｅｔｏｏｔｈ  Ｌｏｗ  Ｅｎｅｒｇｙ）のＧＡＴＴ通信を介して行われることを特徴とする請求項７乃至１１のいずれか１項に記載の通信装置。
【請求項１３】
通信装置であって、
ダイレクト無線通信モードで動作している印刷装置に無線接続するようユーザから指示を受けて、前記印刷装置に問い合わせた結果、前記印刷装置に無線接続できなかった場合、前記印刷装置の前記ダイレクト無線通信モードの動作を一旦終了させるか否かを前記ユーザに確認するための確認画面を表示する表示手段と、
前記確認画面において前記印刷装置の前記ダイレクト無線通信モードの動作を一旦終了させるよう前記ユーザから指示を受けた場合に、前記ダイレクト無線通信モードの動作を終了するよう前記印刷装置に指示する第１の指示手段と、
前記第１の指示手段による指示の後に、前記ダイレクト無線通信モードの動作を開始するように前記印刷装置に指示する第２の指示手段と、
を有することを特徴とする通信装置。
【請求項１４】
前記第２の指示手段による指示によって前記ダイレクト無線通信モードの動作を開始した前記印刷装置に無線接続する接続手段を更に有することを特徴とする請求項１３に記載の通信装置。
【請求項１５】
前記第１の指示手段による前記ダイレクト無線通信モードの動作の終了の指示と、前記第２の指示手段による前記ダイレクト無線通信モードの動作の開始の指示は、１つの指示で行われることを特徴とする請求項１または２に記載の通信装置。
【請求項１６】
前記第１の指示手段による指示と、前記第２の指示手段による指示は、ＢＬＥ（Ｂｌｕｅｔｏｏｔｈ  Ｌｏｗ  Ｅｎｅｒｇｙ）のＧＡＴＴ通信を介して行われることを特徴とする請求項１３乃至１５のいずれか１項に記載の通信装置。
【請求項１７】
前記無線接続は、Ｗｉ−Ｆｉ規格の無線通信による無線接続であることを特徴とする請求項１乃至１６のいずれか１項に記載の通信装置。
【請求項１８】
コンピュータを、請求項１乃至１７のいずれか１項に記載の通信装置の各手段として機能させるためのプログラム。
【請求項１９】
通信装置の制御方法であって、
前記通信装置の問い合せ手段が、ダイレクト無線通信モードで動作している印刷装置に無線接続するようユーザから指示を受けた場合、前記印刷装置に無線接続している端末の数が上限数に達しているか否かを、前記印刷装置に問い合わせる問い合わせステップと、
前記問い合わせステップで問い合わせた結果、前記印刷装置に無線接続している端末の数が上限数に達していた場合、前記通信装置の第１の指示手段が、前記ダイレクト無線通信モードの動作を終了するよう前記印刷装置に指示する第１の指示ステップと、
前記通信装置の第２の指示手段が、前記第１の指示ステップでの指示の後に、前記ダイレクト無線通信モードの動作を開始するように前記印刷装置に指示する第２の指示ステップと
を有することを特徴とする通信装置の制御方法。
【請求項２０】
通信装置の制御方法であって、
前記通信装置の第１の問い合せ手段が、ダイレクト無線通信モードで動作している印刷装置に無線接続するようユーザから指示を受けた場合、前記印刷装置に無線接続している端末の数が上限数に達しているか否かを、前記印刷装置に問い合わせる第１の問い合わせステップと、
前記通信装置の第２の問い合せ手段が、前記第１の問い合わせステップで問い合わせた結果、前記印刷装置に無線接続している端末の数が上限数に達していた場合、前記ダイレクト無線通信モードにおいて使用しているＳＳＩＤの種類を、前記印刷装置に問い合わせる第２の問い合わせステップと、
前記第２の問い合わせステップで問い合わせた結果、前記ＳＳＩＤの種類が所定の種類であると判定した場合、前記通信装置の第１の指示手段が、前記ダイレクト無線通信モードの動作を終了するよう前記印刷装置に指示する第１の指示ステップと、
前記通信装置の第２の指示手段が、前記第１の指示ステップでの指示の後に、前記ダイレクト無線通信モードの動作を開始するように前記印刷装置に指示する第２の指示ステップと
を有することを特徴とする通信装置の制御方法。
【請求項２１】
通信装置の制御方法であって、
前記通信装置の表示手段が、ダイレクト無線通信モードで動作している印刷装置に無線接続するようユーザから指示を受けて、前記印刷装置に問い合わせた結果、前記印刷装置に無線接続できなかった場合、前記印刷装置の前記ダイレクト無線通信モードの動作を一旦終了させるか否かを前記ユーザに確認するための確認画面を表示する表示ステップと、
前記確認画面において前記印刷装置の前記ダイレクト無線通信モードの動作を一旦終了させるよう前記ユーザから指示を受けた場合に、前記通信装置の第１の指示手段が、前記ダイレクト無線通信モードの動作を終了するよう前記印刷装置に指示する第１の指示ステップと、
前記通信装置の第２の指示手段が、前記第１の指示ステップでの指示の後に、前記ダイレクト無線通信モードの動作を開始するように前記印刷装置に指示する第２の指示手段と、
を有することを特徴とする通信装置の制御方法。
【請求項２２】
前記第１の指示ステップにおける前記ダイレクト無線通信モードの動作の終了の指示と、前記第２の指示ステップにおける前記ダイレクト無線通信モードの動作の開始の指示は、１つの指示で行われることを特徴とする請求項１９乃至２１のいずれか１項に記載の通信装置の制御方法。
【手続補正２】
【補正対象書類名】明細書
【補正対象項目名】０００８
【補正方法】変更
【補正の内容】
【０００８】
上述した課題を解決するために、本発明の通信装置の一形態は、ダイレクト無線通信モードで動作している印刷装置に無線接続するようユーザから指示を受けた場合、前記印刷装置に無線接続している端末の数が上限数に達しているか否かを、前記印刷装置に問い合わせる問い合わせ手段と、前記問い合わせ手段で問い合わせた結果、前記印刷装置に無線接続している端末の数が上限数に達していた場合、前記ダイレクト無線通信モードの動作を終了するよう前記印刷装置に指示する第１の指示手段と、前記第１の指示手段による指示の後に、前記ダイレクト無線通信モードの動作を開始するように前記印刷装置に指示する第２の指示手段とを有することを特徴とする。
また、上述した課題を解決するために、本発明の通信装置の一形態は、ダイレクト無線通信モードで動作している印刷装置に無線接続するようユーザから指示を受けた場合、前記印刷装置に無線接続している端末の数が上限数に達しているか否かを、前記印刷装置に問い合わせる第１の問い合わせ手段と、前記第１の問い合わせ手段で問い合わせた結果、前記印刷装置に無線接続している端末の数が上限数に達していた場合、前記ダイレクト無線通信モードにおいて使用しているＳＳＩＤの種類を、前記印刷装置に問い合わせる第２の問い合わせ手段と、前記第２の問い合わせ手段で問い合わせた結果、前記ＳＳＩＤの種類が所定の種類であると判定した場合、前記ダイレクト無線通信モードの動作を終了するよう前記印刷装置に指示する第１の指示手段と、前記第１の指示手段による指示の後に、前記ダイレクト無線通信モードの動作を開始するように前記印刷装置に指示する第２の指示手段とを有することを特徴とする。
また、上述した課題を解決するために、本発明の通信装置の一形態は、ダイレクト無線通信モードで動作している印刷装置に無線接続するようユーザから指示を受けて、前記印刷装置に問い合わせた結果、前記印刷装置に無線接続できなかった場合、前記印刷装置の前記ダイレクト無線通信モードの動作を一旦終了させるか否かを前記ユーザに確認するための確認画面を表示する表示手段と、前記確認画面において前記印刷装置の前記ダイレクト無線通信モードの動作を一旦終了させるよう前記ユーザから指示を受けた場合に、前記ダイレクト無線通信モードの動作を終了するよう前記印刷装置に指示する第１の指示手段と、前記第１の指示手段による指示の後に、前記ダイレクト無線通信モードの動作を開始するように前記印刷装置に指示する第２の指示手段と、を有することを特徴とする。